(57)【要約】【課題】複数枚の太陽電池パネルを一括して固定できる太陽電池パネルの固定装置を提供する。【解決手段】複数枚の太陽電池パネルの裏面に夫々取り付けられた複数の被係合部材と、複数枚の太陽電池パネルを支持する第１のフレームと、第１のフレームに対して相対的に移動し、前記複数枚の太陽電池パネルの裏面に夫々取り付けられた複数の被係合部材を一括して固定するための第２のフレームと、を備える。【選択図】図２
2013004869.tif 000002
【特許請求の範囲】
【請求項１】
複数枚の太陽電池パネルの裏面に夫々取り付けられた複数の被係合部材と、
前記複数枚の太陽電池パネルを支持する第１のフレームと、
前記第１のフレームに対して相対的に移動し、前記複数枚の太陽電池パネルの裏面に夫々取り付けられた複数の被係合部材を一括して固定するための第２のフレームと、
を備えることを特徴とする太陽電池パネルの固定装置。
【請求項２】
前記被係合部材は、前記太陽電池パネルの裏面に取り付けられる基板と、前記基板から略垂直方向に突出した突出部及び前記突出部の先端に設けられた大径部からなる被係合部とから構成され、
前記第１のフレームには、前記大径部よりも径の大きな第１の貫通孔が形成され、
前記第２のフレームには、前記大径部よりも径の大きな第２の貫通孔と、該第２の貫通孔に連通し前記大径部よりも小径で、かつ前記突出部よりも大径の第２の貫通孔とから構成され、前記第２のフレームを前記第１のフレームの長手方向と平行に移動させることで、前記第１の貫通孔から挿入された前記被係合部と係合する係合孔とが形成されていることを特徴とする請求項１に記載の太陽電池パネルの固定装置。
【請求項３】
前記被係合部材は、
前記太陽電池パネルの裏面に取り付けられる基板と、該基板から略垂直に突出した一対の突出部及び前記一対の突出部の先端を接続する接続部からなる被係合部とから構成され、
前記第１のフレームには、前記被係合部を挿入するための第１の開口が形成され、
前記第２のフレームを前記第１のフレームの長手方向に対し平行に移動させることで回転動作して前記第１のフレームの第１の開口から挿入された前記被係合部と係合する回転部材をさらに備えることを特徴とする請求項１に記載の太陽電池パネルの固定装置。
【請求項４】
前記被係合部材は、
前記太陽電池パネルの裏面に取り付けられる基板と、該基板から略垂直に突出し、先端が折曲した被係合部とから構成され、
前記第１のフレームには、前記被係合部と係合し、前記第２のフレームを前記第１のフレームの長手方向と垂直方向に移動させることで前記太陽電池パネルを固定するための凹部が形成されていることを特徴とする請求項１に記載の太陽電池パネルの固定装置。
【請求項５】
前記第２のフレームを前記第１のフレームに対して相対的に移動させるためのハンドルをさらに備え、
前記ハンドルは、前記第２のフレームを前記複数の太陽電池パネルを固定する位置で施錠可能に構成されていることを特徴とする請求項１乃至請求項４のいずれか１項に記載の太陽電池パネルの固定装置。
【請求項６】
前記第１のフレームおよび前記第２のフレームのいずれか一方には、前記第２のフレームを前記複数の太陽電池パネルを固定する位置で係止するためのねじを通す第４の貫通孔が形成され、他方には前記ねじと螺合するねじ孔が形成されていることを特徴とする請求項２乃至請求項５のいずれか１項に記載の太陽電池パネルの固定装置。
【請求項７】
前記第１のフレームおよび前記第２のフレームを前記複数の太陽電池パネルを固定する位置で締結する締結具をさらに備え、
前記締結具は、施錠可能に構成されていることを特徴とする請求項４に記載の太陽電池パネルの固定装置。
【発明の詳細な説明】
【技術分野】
【０００１】
本発明は、太陽電池パネルの固定装置に関し、特に、複数枚の太陽電池パネルを一括して固定できる太陽電池パネルの固定装置に関する。
【背景技術】
【０００２】
近年、再生可能エネルギーとして太陽光発電が注目されている。太陽光発電では、太陽光を電気に変換する太陽電池パネルを設置するが、太陽電池パネル１枚の発電量は小さい。このため、必要な電力を確保するために、多数の太陽電池パネルの設置が必要となる。特に、大規模発電を行う場合、数百枚から数千枚もの太陽電池パネルを設置する必要がある。
【０００３】
通常、太陽電池パネルは、地面もしくは屋根等に配置された架台上に設置される。例えば、大規模発電の場合は、太陽電池パネルを支持する金具が設けられたコンクリートブロックを多数地面に配置し、この金具に太陽電池パネルを取り付けるようにしたものが提案されている（特許文献１参照）。また、屋根に設置する場合は、野地板に敷設された板金上に太陽電池パネルの端部を挟持するレールを設け、このレール間に複数枚の太陽電池パネルをスライドさせて設置するようにしたものが提案されている（特許文献２参照）。
【先行技術文献】
【特許文献】
【０００４】
【特許文献１】特開２０１０−２５８０２４号公報
【特許文献２】特開２００２−４５２６号公報
【発明の概要】
【発明が解決しようとする課題】
【０００５】
しかしながら、引用文献１に開示されたものは、数百枚から数千枚もの太陽電池パネルを手作業で一枚ずつボルトとナットを用いて金具に固定する必要があり作業効率が非常に悪い。また、各太陽電池パネルは、ボルトとナットを用いて固定されているだけであり太陽電池パネルの盗難を防止することができない。
【０００６】
引用文献２に開示されたものは、同一のレールに複数枚の太陽電池パネルをスライドさせて設置することができる。しかしながら、不具合の生じた太陽電池パネルを交換する際には、同一のレールに設置された他の太陽電池パネルを該レールから抜き取る必要があり作業効率が悪い。また、レール端部には、水切り板がねじ止めされているだけであり、この水切り板を取り外すことで太陽電池パネルをレールから抜き取ることができるため太陽電池パネルの盗難を防止することが難しい。
【０００７】
本発明は、上記の事情に対処してなされたもので、複数枚の太陽電池パネルを一括して固定できる太陽電池パネルの固定装置を提供することを目的とする。
【課題を解決するための手段】
【０００８】
本発明の太陽電池パネルの固定装置は、複数枚の太陽電池パネルの裏面に夫々取り付けられた複数の被係合部材と、複数枚の太陽電池パネルを支持する第１のフレームと、第１のフレームに対して相対的に移動し、複数枚の太陽電池パネルの裏面に夫々取り付けられた複数の被係合部材を一括して固定するための第２のフレームと、を備える。
【発明の効果】
【０００９】
本発明によれば、複数枚の太陽電池パネルを一括して固定できる太陽電池パネルの固定装置を提供できる。
【図面の簡単な説明】
【００１０】
【図１】第１の実施形態に係る太陽電池パネルの固定装置の平面図。
【図２】第１の実施形態に係る太陽電池パネルの固定装置の斜視図。
【図３】第１の実施形態に係る太陽電池パネルの固定装置の断面図。
【図４】第１の実施形態に係る太陽電池パネルの固定装置による固定方法の説明図。
【図５】第１の実施形態に係る太陽電池パネルの固定装置による固定方法の説明図。
【図６】第１の実施形態に係る太陽電池パネルの固定装置による固定方法の説明図。
【図７】第１の実施形態の変形例に係る太陽電池パネルの固定装置の側面図。
【図８】第１の実施形態に係る太陽電池パネルの固定装置の平面図。
【図９】第２の実施形態に係る太陽電池パネルの固定装置の斜視図。
【図１０】第２の実施形態に係る太陽電池パネルの固定装置の内部構成図。
【図１１】第２の実施形態に係る太陽電池パネルの固定装置による固定方法の説明図。
【図１２】第２の実施形態に係る太陽電池パネルの固定装置による固定方法の説明図。
【図１３】第２の実施形態に係る太陽電池パネルの固定装置による固定方法の説明図。
【図１４】第３の実施形態に係る太陽電池パネルの固定装置の平面図。
【図１５】第３の実施形態に係る太陽電池パネルの固定装置の斜視図。
【図１６】第３の実施形態に係る太陽電池パネルの固定装置の側面図。
【図１７】第３の実施形態に係る太陽電池パネルの固定装置による固定方法の説明図。
【図１８】第３の実施形態に係る太陽電池パネルの固定装置による固定方法の説明図。
【図１９】第３の実施形態に係る太陽電池パネルの固定装置による固定方法の説明図。
【図２０】第３の実施形態の変形例に係る太陽電池パネルの固定装置の平面図。
【図２１】第３の実施形態の変形例に係るハンドルの拡大側面図。
【発明を実施するための形態】
【００１１】
（第１の実施形態）
図１は、第１の実施形態に係る太陽電池パネルの固定装置１の平面図である。図２は、第１の実施形態に係る太陽電池パネルの固定装置１の斜視図である。図３は、第１の実施形態に係る太陽電池パネルの固定装置１の断面図である。以下、図１〜図３を参照して、第１の実施形態に係る太陽電池パネルの固定装置１（以下、単に固定装置１と称する）の構成について説明する。
【００１２】
（固定装置１の構成）
固定装置１は、それぞれの太陽電池パネル１０の裏面に取り付けられる金具２０（被係合部材）と、複数枚の太陽電池パネル１０を支持及び固定するフレーム３０と、フレーム３０の一端に取り付けられ、複数枚の太陽電池パネル１０を一括してフレーム３０に固定する際に用いるハンドル４０とを備える。
【００１３】
なお、この第１の実施形態では、太陽電池パネル１０として「縁無し」、つまり、太陽電池パネルの端部を囲うフレームが無いフレームレスの太陽電池パネルを使用することを想定しているが、縁のある太陽電池パネルを使用してもよい。
【００１４】
太陽電池パネル１０をフレームレスとした場合、太陽電池パネル１０が軽量化されるため、太陽電池パネル１０を支持及び固定するフレーム３０を軽量化して製造コストを低減することができる。また、雨水等の水分がフレームに溜まらないため太陽電池パネル１０内に水分が浸み込むのを防止できる。このため太陽電池パネル１０の寿命を長期化することができる。
【００１５】
金具２０は、太陽電池パネル１０の裏面に取り付けられる矩形の基板（ベースプレート）２１と、この基板２１から略垂直方向に突出した突出部２２と、突出部２２の先端に設けられた大径部２３とから構成される（図３参照）。金具２０は、基板２１に接着剤を塗布することにより、太陽電池パネル１０の裏面に取り付けられる。大径部２３の直径Ｄ２は、突出部２２の直径Ｄ１よりも大きい。この実施形態では、このような金具２０として２種類のものを示した。図３の左側の金具２０は、大径部２３を球形とした例であり、図３の右側の金具２０は、大径部２３を円柱形とした例である。なお、大径部２３の形状は、図３に示した球形又は円柱形に限定されず、種々の形状とすることができる。
【００１６】
また、この実施形態では、各太陽電池パネル１０に４個ずつ金具２０を取り付けているが、各太陽電池パネル１０に取り付ける金具２０は、必ずしも４個でなくともよく、例えば、６個や８個でもよい。ただし、各太陽電池パネル１０に取り付ける金具２０は、４個以上であることが太陽電池パネル１０を安定して固定することができ好ましい。
【００１７】
フレーム３０は、複数枚の太陽電池パネル１０を支持する平板形状の固定フレーム３１（第１のフレーム）と、固定フレーム３１の長手方向と平行に配置され、固定フレーム３１に平行に移動することにより金具２０と係合して、複数枚の太陽電池パネル１０を一括して固定する平板形状の移動フレーム３２（第２のフレーム）と、固定フレーム３１及び移動フレーム３２を支持する支持フレーム３３から構成される。
【００１８】
固定フレーム３１には、所定の位置に設けられた大径部２３よりも外径が大きな円形の貫通孔３１ａ（第１の貫通孔）と、移動フレーム３２を固定フレーム３１に係止するためのねじＸと螺合するねじ孔３１ｃとが形成されている。貫通孔３１ａの周囲には、矩形上のゴムからなる弾性部材３１ｂが配設されている。固定フレーム３１の端部には、ハンドル４０を固定フレーム３１に取り付けるための取り付け金具３１ｄが設けられている。また、固定フレーム３１は、自己（固定フレーム３１）を支持フレーム３３上に支持するための第１の支持部材３１ｅと、後述する移動フレーム３２の裏面を支持するための第２の支持部材３１ｆを備える。
【００１９】
移動フレーム３２には、固定フレーム３１に設けられている貫通孔３１ａと対応する位置に設けられた円形の貫通孔３２ａ（第２の貫通孔）と、この貫通孔３２ａに連通し金具２０の大径部２３よりも小径で、かつ金具２０の突出部２２よりも大径の矩形の貫通孔３２ｂ（第３の貫通孔）と、移動フレーム３２を固定フレーム３１に係止するためのねじを通す貫通孔３２ｃ（第４の貫通孔）とが形成されている。また、移動フレーム３２の端部には、ハンドル４０のねじ４１と螺合するねじ穴（図示せず）が設けられた金具３２ｄが設けられている。
【００２０】
なお、移動フレーム３２を固定フレーム３１に係止するためのねじＸと螺合するねじ孔を移動フレーム３２に形成し、ねじＸを通す貫通孔を固定フレーム３１に形成してもよい。また、ねじ孔３１ｃの代わりに貫通孔（第５の貫通孔）を形成し、ねじＸの代わりにボルトとナットとを用いて係止してもよい。
【００２１】
ハンドル４０は、ハンドル部４１と、このハンドル部４１に連結されたねじ４２とから構成される。ハンドル部４１を回転させることにより、移動フレーム３２を固定フレーム３１の長手方向に対して平行に移動させることができる。
【００２２】
（固定装置１の操作）
図４〜図６は、固定装置１による太陽電池パネルの固定方法の説明図である。図４（ａ）、図５（ａ）、図６（ａ）は、固定装置１の側面図である。図４（ｂ）、図５（ｂ）、図６（ｂ）は、それぞれ図４（ａ）、図５（ａ）、図６（ａ）における、固定フレーム３１及び移動フレーム３２の位置関係を示す平面図である。以下、図４〜図６を参照して、固定装置１による太陽電池パネル１０の固定方法について説明する。
（初期操作）
ハンドル４０を操作することにより、移動フレーム３２を固定フレーム３１の長手方向に対して平行に移動させ、移動フレーム３２の貫通孔３２ａと固定フレーム３１の貫通孔３１ａとが対応する位置、すなわち、移動フレーム３２の貫通孔３２ａの中心と固定フレーム３１の貫通孔３１ａの中心とが略一致する位置となるように予めセットしておく。
【００２３】
（第１操作：図４参照）
太陽電池パネル１０の裏面に取り付けられた金具２０の大径部２３を固定フレーム３１の貫通孔３１ａ及び移動フレーム３２の貫通孔３２ａに通過させ、太陽電池パネル１０を固定フレーム３１の弾性部材３１ｂ上に載置する。
【００２４】
（第２操作：図５参照）
ハンドル４０を操作し、金具２０の大径部２３と移動フレーム３２の貫通孔３２ｂとが係合するまで移動フレーム３２を固定フレーム３１の長手方向（図５の右方向）に対して平行に移動させる。これにより、フレーム３０上に配置された複数の太陽電池パネル１０が一括してフレーム３０に固定される。
【００２５】
（第３操作：図６参照）
ねじＸを移動フレーム３２の貫通孔３２ｃから挿入して固定フレーム３１のねじ孔３１ｃへ螺合させる。また、盗難防止用の錠前Ｙをハンドル４０に取り付けてハンドル４０を操作できないようにする。
【００２６】
以上のように、第１の実施形態に係る太陽電池パネルの固定装置１は、太陽電池パネル１０の裏面に取り付けられた金具２０の大径部２３を、固定フレーム３１の貫通孔３１ａ及び移動フレーム３２の貫通孔３２ａに通過させた後、移動フレーム３２を固定フレーム３１の長手方向と平行に移動させて太陽電池パネル１０を固定するように構成している。
【００２７】
このため、フレーム３０上に配置された複数枚の太陽電池パネル１０を一括して固定することができる。また、固定フレーム３１の所定の位置に設けられた貫通孔３１ａに金具２０の大径部２３を通すように構成しているので、太陽電池パネル１０の固定フレーム３１への配置と位置決めを同時に行うことができる。その結果、太陽電池パネル１０の設置作業の効率が大幅に向上する。
【００２８】
また、太陽電池パネル１０の固定を解除する際にも、ハンドル４０を操作することにより、複数枚の太陽電池パネル１０の固定を一括して解除することができる。このため、不具合の生じた太陽電池パネル１０を交換する際に、不具合の生じていない他の太陽電池パネル１０まで取り外す必要がなく作業効率が向上する。
【００２９】
さらに、ハンドル４０を錠前Ｙにより施錠することで、ハンドル４０を操作することができなくなるため簡単に盗難を防止することができる。また、太陽電池パネル１０を配置する固定フレーム３１上に弾性部材３１ｂを配設しているので、太陽電池パネル１０の裏面に取り付けられた金具２０とフレーム３０との間に隙間が生じるのを抑制することができる。このため、太陽電池パネル１０が風や地震等により揺れて太陽電池パネル１０を構成するガラスにひびや欠けが生じることを抑制することができる。また、固定装置１の構成が簡易であるため製造コストを抑制することができる。
【００３０】
（第１の実施形態の変形例）
図７は、第１の実施形態の変形例に係る太陽電池パネルの固定装置１Ａの側面図である。図７（ａ）は、太陽電池パネルを固定する前の状態を示す図である。図７（ｂ）は、太陽電池パネルを固定した後の状態を示す図である。以下、図７を参照して、第１の実施形態の変形例に係る太陽電池パネルの固定装置１Ａ（以下、単に固定装置１Ａと称する）の構成について説明する。なお、固定装置１Ａは、ハンドル５０を備えている点が、図１〜図６を参照して説明した固定装置１と異なる。その他の構成は固定装置１と同じであるため、同一の構成には同一の符号を付して重複した説明を省略する。
【００３１】
ハンドル５０は、一端側が回転軸５１ａを中心として回転可能に固定フレーム３１に連結された棒形状のハンドル部５１と、一端側が回転軸５２ａを中心として回転可能に連結された棒形状のリンク部５２とから構成される。ハンドル部５１の略中央には、ハンドル部５１の長手方向に長孔５１ｂが形成されている。また、リンク部５２の他端側には、ハンドル部５１の長孔５１ｂに沿ってスライド可能に連結する連結部材５２ｂが設けられている。ハンドル部５１の把持部５１ｃを矢印αの向きに引くことにより、移動フレーム３２の貫通孔３２ｃが固定フレーム３１のねじ孔３１ｃの真下となる位置まで、移動フレーム３２が固定フレーム３１の長手方向（図７（ａ）の右方向）に対して平行に移動する（図７（ａ）参照）。
【００３２】
その後、第１の実施形態と同様に、ねじＸを移動フレーム３２の貫通孔３２ｃから挿入して固定フレーム３１のねじ孔３１ｃへ螺合させる。その後、盗難防止用の錠前Ｙをハンドル５０に取り付けてハンドル５０を操作できないようにする（図７（ｂ）参照）。なお、効果については、第１の実施形態に係る固定装置１の効果と同じである。
【００３３】
（第２の実施形態）
図８は、第２の実施形態に係る太陽電池パネルの固定装置の平面図である。図９は、第２の実施形態に係る太陽電池パネルの固定装置２の斜視図である。図１０は、第２の実施形態に係る太陽電池パネルの固定装置２の内部構成図である。以下、図８〜図１０を参照して、第２の実施形態に係る太陽電池パネルの固定装置２（以下、単に固定装置２と称する）の構成について説明する。なお、図１〜図６を参照して説明した固定装置１と同一の構成には同一の符号を付して重複した説明を省略する。また、図１０では、固定フレーム７１内の移動フレーム７２及び回転部材７３を示すため固定フレーム７１を破線で示した。
【００３４】
（固定装置２の構成）
固定装置２は、それぞれの太陽電池パネル１０の裏面に取り付けられる金具６０（被係合部材）と、複数枚の太陽電池パネル１０を支持及び固定するフレーム７０と、フレーム７０の一端に取り付けられ、複数枚の太陽電池パネル１０を一括してフレーム７０に固定する際に用いるハンドル４０とを備える。
【００３５】
金具６０は、各太陽電池パネル１０の裏面に取り付けられる矩形の基板（ベースプレート）６１と、基板６１から略垂直方向に突出した一対の突出部６２ａ，６２ｂ及びこの一対の突出部６２ａ，６２ｂの先端を接続する接続部６２ｃからなる被係合部６２とから構成される。金具６０は、基板６１に接着剤を塗布することにより、太陽電池パネル１０の裏面に取り付けられる。この実施形態では、各太陽電池パネル１０に４個ずつ金具６０を取り付けているが、各太陽電池パネル１０に取り付ける金具６０は、必ずしも４個でなくともよく、例えば、６個や８個でもよい。ただし、各太陽電池パネル１０に取り付ける金具６０は、４個以上であることが太陽電池パネル１０を安定して固定することができ好ましい。
【００３６】
フレーム７０は、複数枚の太陽電池パネル１０を支持する箱型の固定フレーム７１（第１のフレーム）と、固定フレーム７１内に収容され、固定フレーム７１の長手方向と平行に移動する平板形状の移動フレーム７２（第２のフレーム）と、固定フレーム７１内に配置され、移動フレーム３２の平行移動に伴い回転動作して金具６０の被係合部６２と係合し、複数枚の太陽電池パネル１０を一括して固定する回転部材７３と、固定フレーム７１を支持する支持フレーム７４とから構成される。
【００３７】
固定フレーム７１には、所定の位置に設けられた金具６０の被係合部６２を挿入するための開口７１ａと、移動フレーム７２を固定フレーム７１に係止するためのねじを通す貫通孔７１ｃ（第４の貫通孔）とが形成されている。また、開口７１ａの周囲には、矩形上のゴムからなる弾性部材７１ｂが配設されている。さらに、固定フレーム７１の端部には、ハンドル４０を固定フレーム７１に取り付けるための取り付け金具７１ｄが設けられている（後述する図１１を参照）。
【００３８】
移動フレーム７２には、回転部材７３の突出部７３ａを挿入するための切欠き部７２ａと、移動フレーム７２を固定フレーム７１に係止するためのねじＸと螺合するねじ孔７２ｄとが形成されている。また、移動フレーム７２の端部には、ハンドル４０のねじ４１と螺合するねじ穴（図示せず）が設けられた金具７２ｃが設けられている（後述する図１１参照）。
【００３９】
なお、移動フレーム７２を固定フレーム７１に係止するためのねじＸと螺合するねじ孔を固定フレーム７１に形成し、ねじＸを通す貫通孔を移動フレーム７２に形成してもよい。また、ねじ孔３１ｃの代わりに貫通孔を形成し、ねじＸの代わりにボルトとナットとを用いて係止してもよい。  
【００４０】
回転部材７３は、回転軸７３ｂを中心として回転可能に固定フレーム７１に係合されており、移動フレーム７２を固定フレーム７１の長手方向と平行に移動させることで、突出部７３ａが移動フレーム７２の切欠き部７２ａ内をスライドしながら回転軸７３ｂを中心として回転動作する。これにより、係合部７３ｃが金具６０の被係合部６２と係合する。
【００４１】
（固定装置２の動作）
図１１〜図１３は、固定装置２による太陽電池パネルの固定方法の説明図である。
図１１（ａ）、図１２（ａ）、図１３（ａ）は、固定装置２の側面図である。図１１（ａ）、図１２（ａ）、図１３（ａ）では、固定フレーム７１内の移動フレーム７２及び回転部材７３を示すため固定フレーム７１を断面図としている。図１１（ｂ）、図１２（ｂ）、図１３（ｂ）は、それぞれ図１１（ａ）、図１２（ａ）、図１３（ａ）の線分Ｘ−Ｘにおける固定フレーム７１及び移動フレーム７２の断面図である。
【００４２】
以下、図１１〜図１３を参照して、固定装置２による太陽電池パネル１０の固定方法について説明する。なお、図１〜図６を参照して説明した固定装置１と同一の構成には同一の符号を付して重複した説明を省略する。
【００４３】
（初期操作）
ハンドル４０を操作して、移動フレーム７２を固定フレーム７１の長手方向に対して平行に移動させ、回転部材７３が後方（図面右側）に傾いた状態とする。これにより、金具６０を固定フレーム７１の開口から挿入した際に金具６０の被係合部６２と接触しない位置まで回転部材７３を予め退避させておく。
【００４４】
（第１操作：図１１参照）
太陽電池パネル１０の裏面に取り付けられた金具６０の被係合部６２を、固定フレーム７１の開口７１ａに挿入し、太陽電池パネル１０を固定フレーム７１の弾性部材７１ｂ上に載置する。
【００４５】
（第２操作：図１２参照）
ハンドル４０を操作し、金具６０の被係合部６２と回転部材７３の係合部７３ｃとが係合するまで移動フレーム７２を固定フレーム７１の長手方向（図１２の右方向）に対して平行に移動させる。
【００４６】
移動フレーム７２を固定フレーム７１の長手方向に対して平行に移動させることで、回転部材７３の突出部７３ａが移動フレーム７２の切欠き部７２ａ内をスライドしながら、回転部材７３が回転軸７３ｂを中心として回転動作する。これにより、係合部７３ｃが金具６０の被係合部６２と係合し、フレーム７０上に配置された複数の太陽電池パネル１０が一括してフレーム７０に固定される。
【００４７】
（第３操作：図１３参照）
ねじＸを固定フレーム７１の貫通孔７１ｃから挿入して移動フレーム７２のねじ孔７２ｄへ螺合させる。また、盗難防止用の錠前Ｙをハンドル４０に取り付けてハンドル４０を操作できないようにする。
【００４８】
以上のように、第２の実施形態に係る太陽電池パネルの固定装置２は、太陽電池パネル１０の裏面に取り付けられた金具６０の被係合部６２を、固定フレーム７１の開口７１ａに挿入した後、移動フレーム７２を固定フレーム７１の長手方向と平行に移動させることで回転部材７３を回転動作させて、回転部材７３の係合部７３ｃを金具６０の被係合部６２に係合するように構成している。
【００４９】
このため、フレーム７０上に配置された複数枚の太陽電池パネル１０を一括して固定することができる。その他の効果は、第１の実施形態に係る太陽電池パネルの固定装置１と同じである。なお、図７を参照して説明した第１の実施形態の変形例に係る太陽電池パネルの固定装置１Ａと同様に、ハンドル４０の代わりにハンドル５０を備えるようにしてもよい。
【００５０】
（第３の実施形態）
図１４は、第３の実施形態に係る太陽電池パネルの固定装置３の平面図である。図１５は、第３の実施形態に係る太陽電池パネルの固定装置の斜視図である。図１６は、第３の実施形態に係る太陽電池パネルの固定装置の側面図である。以下、図１４〜図１６を参照して、第３の実施形態に係る太陽電池パネルの固定装置３（以下、単に固定装置３と称する）の構成について説明する。なお、図１〜図６を参照して説明した固定装置１と同一の構成には同一の符号を付して重複した説明を省略する。
【００５１】
（固定装置３の構成）
固定装置３は、それぞれの太陽電池パネル１０の裏面に取り付けられる金具８０（被係合部材）と、複数枚の太陽電池パネル１０を支持及び固定するフレーム９０と、フレーム９０の両端に取り付けられ、複数枚の太陽電池パネル１０を一括してフレーム９０に固定する際に用いるハンドル４０とを備える。
【００５２】
金具８０は、各太陽電池パネル１０の裏面に取り付けられる矩形の基板（ベースプレート）８１と、基板８１から略垂直に突出し、先端が折曲した被係合部８２とから構成される。金具８０は、基板８１に接着剤を塗布することにより、太陽電池パネル１０の裏面に取り付けられる。この実施形態では、各太陽電池パネル１０に４個ずつ金具８０を取り付けているが、各太陽電池パネル１０に取り付ける金具８０は、必ずしも４個でなくともよく、例えば、６個や８個でもよい。ただし、各太陽電池パネル１０に取り付ける金具８０は、４個以上であることが太陽電池パネル１０を安定して固定することができ好ましい。
【００５３】
フレーム９０は、複数枚の太陽電池パネル１０を支持する四角柱形状の固定フレーム９１（第１のフレーム）と、固定フレーム９１の長手方向と平行に配置され、固定フレーム９１に対して相対的に移動する四角柱形状の移動フレーム９２（第２のフレーム）と、長手方向に溝９３ａが形成され、固定フレーム９１及び移動フレーム９２を支持する支持フレーム９３とから構成される。
【００５４】
固定フレーム９１には、金具８０の被係合部８２と係合する凹部９１ａが所定の位置に形成されている。また、この凹部９１ａの周囲には、ゴムからなる弾性部材９１ｂが配設されている。さらに、固定フレーム９１には、移動フレーム９２を固定フレーム９１に係止するためのねじと螺合するねじ孔９１ｃが形成されている。
【００５５】
移動フレーム９２には、支持フレーム９３の溝９３ａ内に向かって突出し、移動フレーム９２を支持フレーム９３の溝９３ａに沿って平行に移動させるための突出部９２ａと、移動フレーム９２を固定フレーム９１に係止するためのねじを通す貫通孔９２ｂ（第４の貫通孔）とが形成されている。
【００５６】
なお、移動フレーム９２を固定フレーム９１に係止するためのねじＸと螺合するねじ孔を移動フレーム９２に形成し、前記ねじＸを通す貫通孔を固定フレーム９１に形成してもよい。また、ねじ孔３１ｃの代わりに貫通孔を形成し、ねじＸの代わりにボルトとナットとを用いて係止してもよい。  
【００５７】
この第３の実施形態では、ハンドル４０が固定フレーム９１の両端に設けられている。ハンドル４０は、ハンドル部４１と、このハンドル部４１に連結されたねじ４２とから構成され、ハンドル部４１を回転させることにより、移動フレーム９２を固定フレーム９１の長手方向に対して垂直方向に移動させることができる。
【００５８】
（固定装置３の動作）
図１７〜図１９は、固定装置３による固定方法の説明図である。図１７（ａ）、図１８（ａ）、図１９（ａ）には、固定装置３の断面図を示した。また、図１７（ｂ）、図１８（ｂ）、図１９（ｂ）は、図１７（ａ）、図１８（ａ）、図１９（ａ）の一部拡大図である。なお、図１７〜図１９では、固定フレーム９１のねじ孔９１ｃ及び移動フレーム９２の貫通孔９２ｂの図示は省略している。以下、図１７〜図１９を参照して、固定装置３による太陽電池パネル１０の固定方法について説明する。
【００５９】
（初期操作）
ハンドル４０を操作して、金具８０の被係合部８２が移動フレーム９２と固定フレーム９１との間を通過できるように、移動フレーム９２を固定フレーム９１の長手方向に対して垂直方向に移動させておく。
【００６０】
（第１操作：図１７参照）
太陽電池パネル１０の裏面に取り付けられた金具８０の被係合部８２を、移動フレーム９２と固定フレーム９１との間に通過させる。
【００６１】
（第２操作：図１８参照）
固定フレーム９１の凹部９１ａに金具８０の被係合部８２を引っかけるようにして係合させ、太陽電池パネル１０を固定フレーム９１の弾性部材９１ｂ上に載置する。
【００６２】
（第３操作：図１９参照）
フレーム９０の両端に設けられたハンドル４０を操作して、金具８０の被係合部８２が移動フレーム９２と固定フレーム９１の凹部９１ａとの間に挟持されるように、移動フレーム９２を固定フレーム９１の長手方向に対して垂直方向（図１９の右方向）に移動させる。これにより、フレーム９０上に配置された複数の太陽電池パネル１０が一括してフレーム９０に固定される。
【００６３】
ねじＸを移動フレーム９２の貫通孔９２ｃから挿入して固定フレーム９１のねじ孔９１ｃへ螺合させる。また、固定フレーム９１と移動フレーム９２とを締結具Ｚで緊結し、盗難防止用の錠前Ｙを締結具Ｚに取り付ける。なお、第１，第２の実施形態に係る固定装置１，２と同様に、盗難防止用の錠前Ｙをハンドル４０に取り付けてハンドル４０を操作できないようにしてもよい。
【００６４】
以上のように、第３の実施形態に係る太陽電池パネルの固定装置３は、太陽電池パネル１０の裏面に取り付けられた金具８０の被係合部８２を、固定フレーム９１の凹部９１ａに引っかけるようにして太陽電池パネル１０を固定フレーム９１上に載置した後、移動フレーム９２を固定フレーム９１の長手方向と垂直方向に移動させて太陽電池パネル１０を固定するように構成されている。
【００６５】
このため、フレーム９０上に配置された複数枚の太陽電池パネル１０を一括して固定することができる。その他の効果は、第１の実施形態に係る太陽電池パネルの固定装置１と同じである。
【００６６】
（第３の実施形態の変形例）
図２０は、第３の実施形態の変形例に係る太陽電池パネルの固定装置３Ａ（以下、単に固定装置３Ａと称する）の平面図である。図２１は、第３の実施形態の変形例に係るハンドル１００の拡大側面図である。以下、図２０及び図２１を参照して、第１の実施形態の変形例に係る太陽電池パネルの固定装置３Ａの構成について説明する。なお、固定装置３Ａは、ハンドル１００を備えている点が、図１５〜図１９を参照して説明した固定装置３と異なる。その他の構成は固定装置３と同じであるため、同一の構成には同一の符号を付して重複した説明を省略する。
【００６７】
ハンドル１００は、箱形状の筐体１０１と、移動体１０２と、筐体１０１上に設けられ、先端が折曲した第１の挟持部１０３と、移動体１０２上に設けられ、先端が折曲した第２の挟持部１０４と、移動体１０２に連結された棒形状の第１のリンク部１０５と、筐体１０１に連結された棒形状の第２のリンク部１０６と、第１のリンク部１０５及び第２のリンク部１０６とに連結されたハンドル部１０７とから構成される。
【００６８】
移動体１０２は、筐体１０１内に収容され、筐体１０１内を筐体１０１の長手方向に沿って筐体１０１内を移動可能に構成される。第２の挟持部１０４は、移動体１０２の移動に伴い、筐体１０１の長手方向（図２１（ａ）の左右方向）に移動する。第１の挟持部１０３及び第２の挟持部１０４は、固定フレーム９１及び移動フレーム９２を挟持して固定する。
【００６９】
第１のリンク部１０５は、一端側が回転軸１０５ａを中心として回転可能に移動体１０２に連結され、他端側が回転軸１０５ｂを中心として回転可能にハンドル部１０７に連結されている。また、第１のリンク部１０５の略中央には、第１のリンク部１０５の長手方向に沿って長孔１０５ｃが形成されている。第２のリンク部１０６は、一端側が中心軸１０６ａを中心として回転可能に筐体１０１に連結されている。また、第２のリンク部１０６の他端側には、第１のリンク部１０５の長孔１０５ｃｂに沿ってスライド可能な留め金１０６ｂが設けられている。ハンドル部１０７は、第１の連結部１０５の他端側と連結されている。
【００７０】
ハンドル部１０７の把持部１０７ａを矢印βの向きに引くことにより、移動体１０２が筐体１０１内を図２１（ａ）の右方向に移動する。移動体１０２の移動に伴い、移動体１０２上に設けられた第２の挟持部１０４が図２１（ａ）の右方向に移動し、図２１（ｂ）に示すように、ハンドル１００の第１の挟持部１０３及び第２の挟持部１０４により、固定フレーム９１及び移動フレーム９２が挟持される。
【００７１】
なお、第３の実施形態と同様に、盗難防止用の錠前Ｙをハンドル１００に取り付けてハンドル１００を操作できないようにしてもよい。効果については、第３の実施形態に係る固定装置１の効果と同じである。
【００７２】
以上、本発明を各実施形態について説明したが、本発明は、上述した各実施形態に限定
されるものではなく、各種の変形が可能であることは勿論である。
【符号の説明】
【００７３】
１…太陽電池パネルの固定装置、１０…太陽電池パネル、２０…金具（被係合部材）、２１…基板（ベースプレート）、２２…突出部、２３…大径部、３０…フレーム、３１…固定フレーム（第１のフレーム）、３１ａ…貫通孔（第１の貫通孔）、３１ｂ…弾性部材、３１ｃ…ねじ孔、３１ｄ…金具、３２…移動フレーム（第２のフレーム）、３２ａ…貫通孔（第２の貫通孔）、３２ｂ…貫通孔（第３の貫通孔）、３２ｃ…貫通孔（第４の貫通孔）、３２ｄ…金具、３１ｅ…第１の支持部材、３１ｆ…第２の支持部材、３３…支持フレーム、４０…ハンドル、４１…ハンドル部、４２…ねじ、５０…ハンドル、５１…ハンドル部、５２…リンク部、５１ａ…回転軸、５１ｂ…長孔、５１ｃ…把持部、５２ａ…回転軸、５２ｂ…留め金、６０…金具（被係合部材）、６１…基板（ベースプレート）、６２…被係合部、７０…フレーム、７１…固定フレーム（第１のフレーム）、７１ａ…開口、７１ｂ…弾性部材、７１ｃ…貫通孔（第４の貫通孔）、７２…移動フレーム（第２のフレーム）、７２ａ…切欠き部、７２ｂ…ねじ孔、７３…回転部材、７３ａ…突出部、７３ｂ…回転軸、７３ｃ…係合部、８０…金具、８１…基板（ベースプレート）、８２…被係合部、９０…フレーム、９１…固定フレーム（第１のフレーム）、９１ａ…凹部、９１ｂ…弾性部材、９１ｃ…ねじ孔、９２…移動フレーム（第２のフレーム）、９２ａ…突出部、９２ｂ…貫通孔（第４の貫通孔）、９３…支持フレーム、９３ａ…溝、１００…ハンドル、１０１…筐体、１０２…移動体、１０３…第１の挟持部、１０４…第２の挟持部、１０５…第１のリンク部、１０５ａ…回転軸、１０５ｂ…留め金、１０６…第２のリンク部、１０６ａ…回転軸、１０６ｂ…長孔、１０６ｃ…回転軸、１０７…ハンドル部、Ｘ…ねじ、Ｙ…錠前、Ｚ…締結具。
【図１】
2013004869.tif 000003
【図２】
2013004869.tif 000004
【図３】
2013004869.tif 000005
【図４】
2013004869.tif 000006
【図５】
2013004869.tif 000007
【図６】
2013004869.tif 000008
【図７】
2013004869.tif 000009
【図８】
2013004869.tif 000010
【図９】
2013004869.tif 000011
【図１０】
2013004869.tif 000012
【図１１】
2013004869.tif 000013
【図１２】
2013004869.tif 000014
【図１３】
2013004869.tif 000015
【図１４】
2013004869.tif 000016
【図１５】
2013004869.tif 000017
【図１６】
2013004869.tif 000018
【図１７】
2013004869.tif 000019
【図１８】
2013004869.tif 000020
【図１９】
2013004869.tif 000021
【図２０】
2013004869.tif 000022
【図２１】
2013004869.tif 000023